(57)【要約】【課題】  医療機関に配布した採血管の医療機関からの回収状況を簡易な構成で確実に管理する。【解決手段】  採血管の配布前に、バーコードリーダ１３により採血管の採血管情報を読み取って配布情報としてＨＤ装置３２に記憶し、医療機関からの回収されてきた採血管の採血管情報をバーコードリーダ２２により読み取って回収情報としてＨＤ装置３２に記憶る。そして、両者を比較して、採血管の回収状況をモニタ３６に表示する。また、期限切れの採血管が医療機関に残っている場合にはモニタ３６に警告表示が行われる。さらに、残り本数が不足する医療機関がある場合には、モニタ３６に警告表示が行われる。【選択図】  図１
2006006696.tif 000002
【特許請求の範囲】
【請求項１】
各々の採血管を相互に識別するための識別情報と、当該採血管の種別を表す種別情報と、当該採血管の有効期限を表す期限情報と、各々の採血管の配布先である各医療機関を相互に識別するための医療機関情報とを含む採血管情報が読取可能に形成された複数の採血管と、
前記採血管情報を読み取る読取手段と、
医療機関に前記採血管を配布する際に前記読取手段により前記採血管情報が読み取られた配布情報と、採血済みの前記採血管が検査依頼のために医療機関から回収された際に前記読取手段により前記採血管情報が読み取られた回収情報とに基づき、前記採血管の回収状況を各医療機関ごとに管理する管理手段と
を備えることを特徴とする採血管の管理システム。
【請求項２】
前記管理手段は、前記回収状況を、さらに前記採血管の種別ごとに管理することを特徴とする請求項１に記載の採血管の管理システム。
【請求項３】
前記医療機関情報は、同一医療機関内における被採血者を区分する診療科、病棟、入院・外来などの区分情報をさらに含み、
前記管理手段は、前記回収状況を、さらに前記区分情報ごとに管理することを特徴とする請求項１または２に記載の採血管の管理システム。
【請求項４】
前記管理手段は、前記配布情報に基づき、医療機関に配布した前記採血管のうちで有効期限が切れたものを抽出することを特徴とする請求項１ないし３のいずれかに記載の採血管の管理システム。
【請求項５】
前記採血管情報は、前記採血管の表面または内周面にバーコードとして表示されていることを特徴とする請求項１ないし４のいずれかに記載の採血管理システム。
【請求項６】
前記採血管情報は、記憶内容が外部から読み取り可能な記憶手段に記憶されていることを特徴とする請求項１ないし４のいずれかに記載の採血管理システム。
【請求項７】
請求項１ないし６のいずれかに記載の採血管の管理システムに用いられる採取血液収納容器であって、
管本体と、該管本体の開口を封止する封止体とを備え、複数種類の情報を含む容器情報が外部から読取可能に形成されることを特徴とする採取血液収納容器。
【発明の詳細な説明】
【技術分野】
【０００１】
本発明は、医療機関に配布した採血管の医療機関からの回収状況を管理する採血管の管理システムおよびそのシステムに用いられる採取血液収納容器に関するものである。
【背景技術】
【０００２】
病院その他の医療機関では、患者が訴える症状に基づき所定の血液検査を行い、その検査結果に基づき患者の診断を確定することがよく行われる。患者から採取された血液は、採血管と呼ばれる容器に収納される。そして、院内に検査部門を持たない中小の病院や開業医が開設する診療所では、血液検査を行うために、行うべき検査内容を記載した検査依頼書が採血管とともに、外部の検査機関に送られる。そして、検査機関は、送られてきた採血管と検査依頼書とを照合し、その採血管内の血液について検査依頼書で指示されている所定の血液検査を行い、その検査結果を病院側に報告するようにしている（例えば特許文献１参照）。この特許文献１に記載の採血管には、少なくとも容器種類および管理番号などをコード化したバーコードを透明体により形成したラベルが貼り付けられている。この採血管や検査依頼書は、特許文献１に記載されているように、医療機関の要求に応じて予め検査機関から医療機関に無償で配付される。そして、医療機関では、検査項目に応じた種別の採血管に採血が行われ、必要事項が記入された検査依頼書とともに検査機関に送られる。
【０００３】
【特許文献１】特開平９−３４３６１号公報（段落０００５，０００９）
【発明の開示】
【発明が解決しようとする課題】
【０００４】
しかしながら、現状では、医療機関に配布された採血管が、検査依頼のために配布元の検査機関に戻ってくるとは限らず、別の検査機関に送付されることもあり得る。また、採血管の種別によっては、凝固剤などの検査項目に応じた薬剤が封入されているものがあるが、このような採血管には有効期限が定められている。このため、有効期限が切れた採血管を用いると、正確な検査結果が得られないため採血のやり直しが必要になり、患者の負担が増大するので好ましくない。また、事前に有効期限切れが明らかとなった採血管は廃棄処分されるため、かなりの廃棄損失を招いている。このように、現状では、医療機関に配布する採血管の管理が検査機関において有効に行われていない。また、上記特許文献１にも、採血管の管理についての記載はない。
【０００５】
本発明は、上記課題に鑑みてなされたもので、医療機関に配布した採血管の医療機関からの回収状況を簡易な構成で確実に管理することができる採血管の管理システムおよびそのシステムに用いられる採取血液収納容器を提供することを目的とする。
【課題を解決するための手段】
【０００６】
上記目的を達成するために、本発明にかかる採血管の管理システムは、各々の採血管を相互に識別するための識別情報と、当該採血管の種別を表す種別情報と、当該採血管の有効期限を表す期限情報と、各々の採血管の配布先である各医療機関を相互に識別するための医療機関情報とを含む採血管情報が読取可能に形成された複数の採血管と、前記採血管情報を読み取る読取手段と、医療機関に前記採血管を配布する際に前記読取手段により前記採血管情報が読み取られた配布情報と、採血済みの前記採血管が検査依頼のために医療機関から回収された際に前記読取手段により前記採血管情報が読み取られた回収情報とに基づき、前記採血管の回収状況を各医療機関ごとに管理する管理手段とを備えることを特徴としている（請求項１）。
【０００７】
また、前記管理手段は、前記回収状況を、さらに前記採血管の種別ごとに管理するとしてもよい（請求項２）。
【０００８】
また、前記医療機関情報は、同一医療機関内における被採血者を区分する診療科、病棟、入院・外来などの区分情報をさらに含み、前記管理手段は、前記回収状況を、さらに前記区分情報ごとに管理するとしてもよい（請求項３）。
【０００９】
また、前記管理手段は、前記配布情報に基づき、医療機関に配布した前記採血管のうちで有効期限が切れたものを抽出するとしてもよい（請求項４）。
【００１０】
また、前記採血管情報は、前記採血管の表面または内周面にバーコードとして表示されているとしてもよい（請求項５）。
【００１１】
また、前記採血管情報は、記憶内容が外部から読み取り可能な記憶手段に記憶されているとしてもよい（請求項６）。
【００１２】
また、上記目的を達成するために、本発明にかかる採取血液収納容器は、請求項１ないし６のいずれかに記載の採血管の管理システムに用いられる採取血液収納容器であって、管本体と、該管本体の開口を封止する封止体とを備え、複数種類の情報を含む容器情報が外部から読取可能に形成されることを特徴としている（請求項７）。
【発明の効果】
【００１３】
請求項１の発明によれば、各々の採血管を相互に識別するための識別情報と、当該採血管の種別を表す種別情報と、当該採血管の有効期限を表す期限情報と、各々の採血管の配布先である各医療機関を相互に識別するための医療機関情報とを含む採血管情報が読取可能に形成された複数の採血管を医療機関に配布する際に採血管情報が読み取られた配布情報と、採血済みの採血管が検査依頼のために医療機関から回収された際に採血管情報が読み取られた回収情報とに基づき、採血管の回収状況を各医療機関ごとに管理しているため、医療機関に配布した採血管の医療機関からの回収状況を簡易な構成で確実に管理することができる。これによって、採血管の廃棄損失を低減できるとともに、医療機関における採血管の過不足を未然に防止することができる。
【００１４】
また、請求項２の発明によれば、回収状況を、さらに採血管の種別ごとに管理しているため、医療機関における種別ごとの採血管の過不足を未然に防止することができる。
【００１５】
また、請求項３の発明によれば、医療機関情報は、同一医療機関内における被採血者を区分する診療科、病棟、入院・外来などの区分情報をさらに含み、回収状況を、さらに区分情報ごとに管理しているため、医療機関における例えば診療科ごと、病棟ごとや入院・外来ごとの採血管の過不足を未然に防止することができる。
【００１６】
また、請求項４の発明によれば、配布情報に基づき、医療機関に配布した採血管のうちで有効期限が切れたものを抽出しているため、医療機関における有効期限内の採血管の不足を未然に防止することができる。
【００１７】
また、請求項５の発明によれば、採血管情報は、採血管の表面または内周面にバーコードとして表示されているため、バーコードリーダにより採血管情報を簡単かつ確実に読み取ることができる。
【００１８】
また、請求項６の発明によれば、採血管情報は、記憶内容が外部から読み取り可能な記憶手段に記憶されているため、当該記憶手段の記憶内容を非接触で読み取る読取手段を備えることにより、採血管情報を簡単かつ確実に読み取ることができる。
【００１９】
また、請求項７の発明によれば、管本体と、該管本体の開口を封止する封止体とを備え、複数種類の情報を含む容器情報が外部から読取可能に形成されているため、請求項１ないし６のいずれかに記載の採血管理システムに好適に用いることができる。
【発明を実施するための最良の形態】
【００２０】
図１は本発明にかかる採血管の管理システムの一実施形態である管理システム１を含むネットワークシステムを示すブロック図、図２は本発明にかかる採取血液収納容器の一実施形態である採血管を示す図である。図１において、検査センターに設けられた管理システム１は、院内に検査部門を持たない病院の電子カルテシステム２とＷＷＷ（World Wide Web）３を介して接続可能に構成されている。なお、管理システム１は、ＷＷＷ３を介して複数の病院や診療所の電子カルテシステムと接続可能に構成されているが、図１では１つの電子カルテシステム２のみを示しており、他の電子カルテシステムの図示を省略している。また、この実施形態では、管理システム１と電子カルテシステム２とはＷＷＷ３を介してデータの送受信を行っているが、これに限られず、専用回線を介して送受信を行うようにしてもよい。
【００２１】
図１のシステムでは、検査センターは、管理システム１と接続可能な電子カルテシステム２が設けられている病院や診療所に向けて予め準備した採血管を配布し、それらの病院や診療所から検査依頼のために回収されてきた採血管に収納されている血液に対する検査を行うようになっている。
【００２２】
検査センターの管理システム１は、採血管の配布を準備するための発送部１０と、病院から検査依頼のために回収されてきた採血管内の血液に対する検査を行うための検査部２０と、システム全体を統括する検査サーバ装置３０とを備えている。発送部１０および検査部２０と、検査サーバ装置３０とは、互いに無線または有線のネットワーク４を介して接続されている。また、病院の電子カルテシステム２は、システム全体を統括する病院サーバ装置４０を備えている。
【００２３】
検査サーバ装置３０は、管理システム１の各部の制御を行うＣＰＵ３１と、種々のデータを保存するためのハードディスク（ＨＤ）装置３２と、ＣＰＵ３１の動作を制御する制御プログラムが格納されたＲＯＭ３３と、通信を行うための通信部３４とを備えている。また、病院サーバ装置４０は、電子カルテシステム２の各部の制御を行うＣＰＵ４１と、種々のデータを保存するためのＨＤ装置４２と、ＣＰＵ４１の動作を制御する制御プログラムが格納されたＲＯＭ４３と、通信を行うための通信部４４とを備えている。そして、検査サーバ装置３０と病院サーバ装置４０とは、通信部３４，４４を介して互いに通信を行っている。
【００２４】
検査センターが病院に配布する採血管５０は、図２に示すように、管本体５１と管本体５１の開口を封止する封止体としての蓋５２とを備えている。この検査センターは、採血管５０の管本体５１の表面にラベル５３を貼り付けたものを病院に配布しており、このラベル５３には、採血管５０ごとに異なる採血管情報６０が印刷されている。この採血管情報６０は、この実施形態では例えばＥＡＮ−１２８規格のバーコードで表されており、採血管５０の配布先である各医療機関を相互に識別するための医療機関情報６１と、各々の採血管５０を相互に識別するための固有の識別情報６２と、当該採血管５０の種別を表す種別情報６３と、当該採血管５０の有効期限を表す期限情報６４とを含んでいる。
【００２５】
医療機関情報６１は、採血管５０の配布先である各医療機関を相互に識別するためのもので、この実施形態では、検査センターが取引のある病院や診療所その他の医療機関ごとに特定のコードを予め設定している。この医療機関情報６１は、例えば総合病院のように複数の診療科を有する場合にそれらを識別する情報として、内科や小児科などの診療科に対応する区分情報を含んでいる。識別情報６２は、各々の採血管５０を相互に識別するためのもので、この実施形態では、医療機関情報６１ごとに通し番号で設定している。なお、識別情報６２に用いる通し番号が最大値に達したときは、再び“１”から繰り返して用いればよい。このため、通し番号の最大値は、識別情報６２として通し番号が重複して使用されるおそれがないような大きい値に設定しておく必要がある。種別情報６３は、当該採血管５０の種別を表すものである。すなわち、採血管には血液検査項目によって様々な種別があり、この実施形態では、検査センターがそれらの種別ごとに特定のコードを予め設定している。この種別情報６３を表示しておくことにより、使用する採血管５０の種別の誤認を未然に防止できる。期限情報６４は、当該採血管５０の有効期限を表すものである。すなわち、特定の血液検査項目に用いる採血管５０には薬剤が封入されているため、その薬剤の有効期限が設定されている。また、薬剤が封入されていなくても、あまりに古い採血管を用いるのは好ましくない。そこで、この期限情報６４を表示しておくことにより、期限切れの採血管５０を使用するのを未然に防止できる。
【００２６】
図１において、発送部１０の搬送装置１１は、採血管メーカから納入された採血管をラベル貼付装置１２に向けて搬送する。ラベル貼付装置１２は、ラベルに採血管情報６０を印刷してラベル５３を作成し、そのラベル５３を採血管５０の管本体５１に貼り付ける。そして、搬送装置１１は、さらに、そのラベル５３が貼り付けられた採血管５０をバーコードリーダ１３に向けて搬送する。バーコードリーダ１３は、搬送されてきた採血管５０の採血管情報６０を読み取る。検査サーバ装置３０のＣＰＵ３１は、バーコードリーダ１３が読み取った採血管情報６０を取得し、例えば後述する図３に示すように、その採血管情報６０を配布情報としてＨＤ装置３２に記憶する。搬送装置１１は、さらに、採血管５０をバーコードリーダ１３から梱包装置１４に向けて搬送する。梱包装置１４は、各採血管５０を医療機関情報６１ごとに梱包する。なお、医療機関情報６１が区分情報を含んでいる場合には、さらに区分情報ごとに梱包する。このようにして梱包された採血管５０は、それぞれ医療機関情報６１に対応する医療機関に向けて配布される。
【００２７】
各医療機関において患者から採取された血液が封入された採血管５０は、血液検査依頼のために、各医療機関から検査センターに回収される。また、必要な血液検査項目を示す検査依頼情報が、採血管情報６０に対応付けられて病院サーバ装置４０から検査サーバ装置３０に送られ、検査サーバ装置３０は、その検査依頼情報を採血管情報６０に対応付けた状態でＨＤ装置３２に記憶する。
【００２８】
検査部２０の搬送装置２１は、各医療機関から回収されてきた採血管５０をバーコードリーダ２２に向けて搬送する。バーコードリーダ２２は、搬送されてきた採血管５０の採血管情報６０を読み取る。検査サーバ装置３０のＣＰＵ３１は、バーコードリーダ２２が読み取った採血管情報６０を取得し、例えば後述する図４に示すように、その採血管情報６０を回収情報としてＨＤ装置３２に記憶する。また、検査サーバ装置３０のＣＰＵ３１は、さらに、バーコードリーダ２２により読み取られた採血管情報６０に対応付けられてＨＤ装置３２に記憶されている検査依頼情報を検索する。検査部２０の搬送装置２１は、その検査依頼情報に基づき、分析装置２３，２４，２５のうち検査依頼情報に対応する分析装置に向けて採血管５０を搬送する。そして、分析装置２３，２４，２５は、それぞれ、採血管５０から必要な分量の血液を取り出し、血液検査を行い、その結果は検査結果情報として検査サーバ装置３０のＨＤ装置３２に一旦格納される。検査サーバ装置３０のＣＰＵ３１は、その検査結果情報を、採血管情報６０を基に、一元的にＨＤ装置３２に記憶し、そのＨＤ装置３２に記憶された検査結果情報を、所定のタイミングで病院サーバ装置４０に送信する。なお、図１では、検査部２０は３つの分析装置２３〜２５を備えているが、これに限られず、患者の診察に要求される検査項目の血液検査が可能な個数の分析装置を備えるようにすればよい。
【００２９】
また、検査サーバ装置３０のＣＰＵ３１は、キーボード３５の操作により指示するなどの所定のタイミングで管理処理を実行して、採血管５０の回収状況をモニタ３６に表示する。この管理処理では、ＣＰＵ３１は、採血管５０の回収状況として、例えば医療機関情報６１ごとの配布個数に対する回収個数の比率、医療機関情報６１ごとの単位期間（例えば１箇月や半年など）当りの回収個数、各医療機関に残っている有効期限内の各種別ごとの採血管５０の本数などをモニタ３６に表示する。また、ＣＰＵ３１は、各医療機関に期限切れの採血管５０が残っている場合にはモニタ３６に警告表示を行う。また、ＣＰＵ３１は、各医療機関に残っている有効期限内の各種別ごとの採血管５０の本数が予め定められた一定本数以下になると、モニタ３６に警告表示を行う。なお、この一定本数は、医療機関情報６１ごとに予め定めればよい。また、管理処理を行うことにより当該医療機関の回収本数が増加したことが明らかになった場合には、この一定本数を増加させればよい。
【００３０】
図３はＨＤ装置３２に記憶される配布情報の一例を示す図、図４はＨＤ装置３２に記憶される回収情報の一例を示す図である。配布情報および回収情報は、それぞれ図３および図４に示すように、医療機関情報ごとに記憶されている。また、医療機関情報Ａ１，Ａ３の病院は複数の診療科を有する総合病院であるので、それぞれ診療科に対応して設定された区分情報ａ１１，ａ１２および区分情報ａ３１，ａ３２ごとに記憶されている一方、医療機関情報Ａ２の病院は開業医による診療所であるので区分情報ａ２１のみが設定されている。
【００３１】
図３に示す配布情報では、医療機関情報Ａ１の病院には識別情報Ｃ１〜Ｃ７の７本の採血管５０が配布されている。それら識別情報Ｃ１〜Ｃ７のうち、識別情報Ｃ１〜Ｃ３，Ｃ６は種別情報Ｂ１、期限情報Ｄ１であり、識別情報Ｃ４は種別情報Ｂ２、期限情報Ｄ２であり、識別情報Ｃ５は種別情報Ｂ３、期限情報Ｄ２であり、識別情報Ｃ７は種別情報Ｂ１、期限情報Ｄ２である。また、医療機関情報Ａ２の病院には識別情報Ｃ１〜Ｃ５の５本の採血管５０が配布されている。それら識別情報Ｃ１〜Ｃ５のうち、識別情報Ｃ１〜Ｃ３は種別情報Ｂ１、期限情報Ｄ１であり、識別情報Ｃ４，Ｃ５は種別情報Ｂ１、期限情報Ｄ２である。また、医療機関情報Ａ３の病院には識別情報Ｃ１〜Ｃ５の５本の採血管５０が配布されている。それら識別情報Ｃ１〜Ｃ５のうち、識別情報Ｃ１，Ｃ２は種別情報Ｂ１、期限情報Ｄ１であり、識別情報Ｃ３，Ｃ４は種別情報Ｂ２、期限情報Ｄ２であり、識別情報Ｃ５は種別情報Ｂ１、期限情報Ｄ２である。
【００３２】
一方、図４に示す回収情報では、医療機関情報Ａ１の病院からは、配布した識別情報Ｃ１〜Ｃ７のうち識別情報Ｃ１，Ｃ２，Ｃ４〜Ｃ６の５本の採血管５０が回収されており、医療機関情報Ａ２の診療所からは、配布した識別情報Ｃ１〜Ｃ５のうち識別情報Ｃ１〜Ｃ３の３本の採血管５０が回収されており、医療機関情報Ａ３の病院からは、配布した識別情報Ｃ１〜Ｃ５のうち識別情報Ｃ１，Ｃ３〜Ｃ５の４本の採血管５０が回収されている。
【００３３】
このように、この実施形態では、バーコードリーダ１３，２２が本発明の「読取手段」に相当し、検査サーバ装置３０のＣＰＵ３１が本発明の「管理手段」に相当する。
【００３４】
図５は配布前処理の手順の一例を示すフローチャート、図６は回収後処理の手順の一例を示すフローチャート、図７は管理処理の手順の一例を示すフローチャートである。図５に示すように、採血管の配布前に実行される配布前処理では、まず、採血管メーカから納入された採血管が搬送装置１１によりラベル貼付装置１２まで搬送され、ラベル貼付装置１２により採血管情報６０がラベルに印刷されてラベル５３が作成され、その作成されたラベル５３が採血管５０に貼り付けられる（ステップ＃１０）。次いで、搬送装置１１によりバーコードリーダ１３まで搬送され、バーコードリーダ１３により、その採血管５０の採血管情報６０が読み取られ（ステップ＃１１）、その読み取られた採血管情報６０が配布情報としてＨＤ装置３２に記憶される（ステップ＃１２）。そして梱包装置１４により、採血管情報６０の医療機関情報６１ごとに採血管５０が梱包されて（ステップ＃１３）、各医療機関に向けて発送される。
【００３５】
また、図６に示すように、医療機関からの採血管の回収後に実行される回収後処理では、まず、回収されてきた採血管５０が、搬送装置２１によりバーコードリーダ２２まで搬送され、バーコードリーダ２２により採血管情報６０が読み取られて（ステップ＃２０）、その読み取られた採血管情報６０が回収情報としてＨＤ装置３２に記憶される（ステップ＃２１）。そして、その採血管情報６０に対応付けられた検査依頼情報に基づき検査処理が実行される（ステップ＃２２）。
【００３６】
また、図７に示すように、所定のタイミングで実行される管理処理では、まず、ＨＤ装置３２に記憶されている配布情報が取得され（ステップ＃３０）、回収情報が取得されて（ステップ＃３１）、両者が比較される（ステップ＃３２）。そして、採血管５０の回収状況がモニタ３６に表示される（ステップ＃３３）。また、期限切れの採血管５０が医療機関に残っている場合にはモニタ３６に警告表示が行われる（ステップ＃３４）。例えば図３および図４の場合において、管理処理の実行時点において期限情報Ｄ１が期限切れの場合には、医療機関情報Ａ１に配布された識別情報Ｃ３と、医療機関情報Ａ３に配布された識別情報Ｃ２とが警告表示の対象となる。さらに、残り本数が不足する医療機関がある場合には、モニタ３６に警告表示が行われる（ステップ＃３５）。例えば図３および図４の場合では、医療機関情報Ａ３の区分情報ａ３２の残り本数がゼロになるので、その旨の警告表示が行われる。
【００３７】
以上説明したように、この実施形態によれば、医療機関情報６１と、種別情報６２と、識別情報６３と、期限情報６４とを含む採血管情報６０を印刷したラベル５３が管本体５１の表面に貼り付けられた採血管５０を用いて、採血管５０を医療機関に配布する前に読み取った採血管情報６０からなる配布情報と、医療機関からの回収後に読み取った採血管情報６０からなる回収情報とを比較して、採血管５０の回収状況を各医療機関ごとに管理しているため、医療機関に配布した採血管５０の医療機関からの回収状況を簡易な構成で確実に管理することができる。これによって、採血管５０の廃棄損失を低減できるとともに、医療機関における採血管５０の過不足を未然に防止することができる。
【００３８】
また、この実施形態によれば、採血管の種別ごとの回収状況を管理しているため、医療機関における種別ごとの採血管の過不足を未然に防止することができる。また、医療機関情報６１が診療科に対応する区分情報をさらに含み、その区分情報ごとに回収状況を管理しているため、医療機関における診療科ごとの採血管５０の過不足を未然に防止することができる。また、配布情報に基づき、医療機関に配布した採血管５０のうちで有効期限が切れたものを抽出しているため、医療機関における有効期限内の採血管５０の不足を未然に防止することができる。
【００３９】
また、この実施形態によれば、採血管情報６０をＥＡＮ−１２８規格のバーコードで表しているため、医療機関情報６１と識別情報６２と種別情報６３と期限情報６４とを含む複数の情報を簡単かつ確実に表示することができる。
【００４０】
なお、本発明は上記各実施形態に限定されるものではなく、その趣旨を逸脱しない限りにおいて上述したもの以外に種々の変更を加えることが可能である。
【００４１】
例えば上記実施形態では、識別情報６２を医療機関情報６１ごとに通し番号で設定しているが、これに限られず、識別情報６２をさらに種別情報６３ごとに設定するようにしてもよい。すなわち、種別情報６３が異なれば、識別情報６２として同一コードを用いても、互いに確実に識別することができ、誤認するおそれはない。また、期限情報６４は、有効期限の年月日に限られず、その採血管５０の製造年月日を用いるようにしてもよい。この場合には、その採血管５０の種別に応じて設定された有効期間を予め記憶しておくことにより、製造年月日と有効期間とから、その判定時点における採血管５０が期限切れか否かを判定することができる。
【００４２】
また、上記各実施形態では、採血管情報６０が印刷されたラベル５３を管本体５１の外周面に貼り付けた採血管５０を用いているが、これに限られない。例えばラベル５３を感本体５１の内周面に貼り付けたり、例えば採血管情報６０を管本体５１の内周面または外周面に直接印刷してもよい。また、上記各実施形態では、採血管情報６０をＥＡＮ−１２８規格のバーコードで表示しているが、これに限られず、他の規格のバーコードで表示してもよい。さらにまた、バーコードに限られず、２次元コードなどの他のコードで表示してもよく、その場合には、バーコードリーダに代えて、当該コードを読み取る読取手段を備えるようにすればよい。これらの形態でも、上記各実施形態と同様の効果を得ることができる。
【００４３】
また、採血管情報６０をコードで表示するのに代えて、例えば採血管情報６０が記憶されたＩＣタグを管本体５１の内部に設けてもよい。このＩＣタグは、血液や薬剤で影響が及ぼされないように例えば防護膜などで被覆しておくのが好ましい。この場合には、バーコードリーダ３３，７２に代えて、ＩＣタグに記憶されている採血管情報６０を非接触で読取可能なＩＣメモリリーダを備えればよい。このように、この変形形態によれば、ＩＣタグが本発明の「記憶手段」に相当し、ＩＣメモリリーダが本発明の「採血管情報読取手段」に相当する。
【００４４】
また、上記実施形態では、検査センターでラベル５３を採血管５０の管本体５１に貼り付けているが、これに限られず、検査センターに採血管を納入する前に、例えば採血管メーカでラベル５３を管本体５１に貼り付けるようにしてもよい。さらに、例えば採血管メーカで採血管情報６０を管本体５１の内周面または外周面に直接印刷するようにしてもよい。
【００４５】
また、上記実施形態では、発送部１０と検査部２０とに、それぞれバーコードリーダ１３，２２を備えているが、これに限られず、１個のバーコードリーダで兼用するようにしてもよい。
【００４６】
また、上記実施形態では、医療機関情報６１は、内科や小児科などの診療科に対応する区分情報を含んでいるが、これに限られず、区分情報として、例えば診療科や入院患者の病棟を区別する病棟情報や、入院患者と外来患者とを区別する入院・外来情報などを含むようにしてもよい。これによって、例えば各病棟ごとの採血管５０の過不足を未然に防止することができる。
【００４７】
また、上記実施形態では、キーボード３５の操作により指示するなどの所定のタイミングで管理処理を実行するようにしているが、これに限られず、所定のタイミングで自動的に管理処理を実行して回収状況をモニタ３６に表示するようにしてもよい。例えば予め定められた一定期間の経過ごと、あるいは採血管５０の回収本数が予め定められた一定本数に達するごとに、管理処理を実行するようにしてもよい。これらの一定期間や一定本数は、例えば各医療機関における採血管５０の使用状況に応じて、各医療機関ごとに定めればよい。また、これらの一定期間や一定本数は、適宜変更するようにしてもよい。
【図面の簡単な説明】
【００４８】
【図１】本発明にかかる採血管の管理システムの一実施形態である管理システムを含むネットワークシステムを示すブロック図である。
【図２】本発明にかかる採取血液収納容器の一実施形態である採血管を示す図である。
【図３】ＨＤ装置に記憶される配布情報の一例を示す図である。
【図４】ＨＤ装置に記憶される回収情報の一例を示す図である。
【図５】配布前処理の手順の一例を示すフローチャートである。
【図６】回収後処理の手順の一例を示すフローチャートである。
【図７】管理処理の手順の一例を示すフローチャートである。
【符号の説明】
【００４９】
１…管理システム、１３，２２…バーコードリーダ（読取手段）、３０…検査サーバ装置、３１…ＣＰＵ（管理手段）、３２…ＨＤ装置、５０…採血管、５１…管本体、５２…蓋（封止体）、５３…ラベル、６０…採血管情報（容器情報）、６１…医療機関情報、６２…種別情報、６３…識別情報、６４…期限情報
【図１】
2006006696.tif 000003
【図２】
2006006696.tif 000004
【図３】
2006006696.tif 000005
【図４】
2006006696.tif 000006
【図５】
2006006696.tif 000007
【図６】
2006006696.tif 000008
【図７】
2006006696.tif 000009